(57)【要約】      （修正有）【課題】区域を分割して印刷を行い、且つ塗料を節約できる三次元プリンターを提供する。【解決手段】三次元プリンター１０は、頂壁２１及び該頂壁の両側に一体に形成される２つの側壁２２を有し、前記頂壁及び前記２つの側壁の内側にそれぞれノズルが設置されているインクジェットヘッド２０と、前記インクジェットヘッドの内側に配置され、且つ前記頂壁のノズルに対応される噴出孔が設置されている頂噴出部３１及び前記２つの側壁のノズルにそれぞれ対応される噴出孔が設置されている側噴出部３２を有するノズルプレート３０と、を備える。【選択図】図３
2011020111.tif 000002
【特許請求の範囲】
【請求項１】
頂壁及び該頂壁の両側に一体に形成される２つの側壁を有し、前記頂壁及び前記２つの側壁の内側にそれぞれノズルが設置されているインクジェットヘッドと、
前記インクジェットヘッドの内側に配置され、且つ前記頂壁のノズルに対応される噴出孔が設置されている頂噴出部及び前記２つの側壁のノズルにそれぞれ対応される噴出孔が設置されている側噴出部を有するノズルプレートと、
を備えることを特徴とする三次元プリンター。
【請求項２】
前記頂噴出部及び側噴出部の噴出孔の数量及び位置は、印刷要求によって調整されることを特徴とする請求項１に記載の三次元プリンター。
【発明の詳細な説明】
【技術分野】
【０００１】
本発明は、プリンターに関し、特に三次元プリンターに関するものである。
【背景技術】
【０００２】
通常、携帯電話またはコンピュータなどのような電子装置のハウジングに対してスプレー印刷方式で印刷して、電子装置のハウジングの外観を加飾する。
【０００３】
しかし、ワークの特定の区域に印刷を行うか、または特定のパターンを印刷する場合、印刷の必要がない部分をマスクで被覆し、印刷終了の後に前記マスクを除去するため、印刷過程が複雑で、前記ワークの特定の区域における塗料の利用率が低い。従って、従来の印刷方法は、塗料の利用率が低く、塗料の浪費が多いため、塗料のコストが高く、且つ環境保護に不利である。
【発明の概要】
【発明が解決しようとする課題】
【０００４】
以上の問題点に鑑みて、本発明は、区域を分割して印刷し、且つ塗料を節約できる三次元プリンターを提供することを目的とする。
【課題を解決するための手段】
【０００５】
前記問題を解決するために、本発明に係る三次元プリンターは、頂壁及び該頂壁の両側に一体に形成される２つの側壁を有し、前記頂壁及び前記２つの側壁の内側にそれぞれノズルが設置されているインクジェットヘッドと、前記インクジェットヘッドの内側に配置され、且つ前記頂壁のノズルに対応される噴出孔が設置されている頂噴出部及び前記２つの側壁のノズルにそれぞれ対応される噴出孔が設置されている側噴出部を有するノズルプレートと、を備える。
【発明の効果】
【０００６】
本発明に係る三次元プリンターにおいて、印刷要求に基づいてノズルプレートの噴出孔の数量及び位置を調整することによって、区域を分割して印刷でき、且つ区域を分割して印刷することによって、塗料を節約することができ、塗料のコストが低下される一方、環境保護にも有利である。
【図面の簡単な説明】
【０００７】
【図１】本発明の第一実施例に係る三次元プリンターの斜視図である。
【図２】図１の三次元プリンターの分解図である。
【図３】図１の三次元プリンターで印刷を行う過程を示す図である。
【図４】本発明の第二実施例に係る三次元プリンターの分解図である。
【図５】図１及び図４の三次元プリンターで印刷を行う過程を示す図である。
【発明を実施するための形態】
【０００８】
以下、図面に基づいて、本発明の実施例に係る三次元プリンターについて詳細に説明する。
【０００９】
図１は、本発明の第一実施例に係る三次元プリンター１０の斜視図であり、図２は、図１の三次元プリンター１０の分解図である。図１及び図２を参照すると、本発明の第一実施例に係る三次元プリンター１０は、インクジェットヘッド２０及び該インクジェットヘッド２０に結合されるノズルプレート３０を備える。
【００１０】
前記インクジェットヘッド２０は、頂壁２１及び該頂壁２１の両側に一体に形成されている２つの側壁２２を備える。前記インクジェットヘッド２０は、「Π」字形の構造を有する。前記頂壁２１の内側には、第一ノズル２１１が形成され、前記２つの側壁２２の内側には、第二ノズル２２１がそれぞれに形成されている。
【００１１】
前記ノズルプレート３０は、頂噴出部３１及び２つの側噴出部３２を備える。前記ノズルプレート３０は、前記インクジェットヘッド２０の内側に配置され、前記インクジェットヘッド２０と対応される構造（即ち、「Π」字形の構造）を有する。前記頂噴出部３１の前記インクジェットヘッド２０の第一ノズル２１１に対応される位置に複数の第一噴出孔３１１が形成され、前記側噴出部３２の前記インクジェットヘッド２０の第二ノズル２２１に対応される位置に複数の第二噴出孔３２１が形成されている。前記頂噴出部３１及び前記側噴出部３２の噴出孔３１１、３２１の設置は、印刷要求に基づいて調整され、且つ前記調整によって区域を分割して印刷を行うという目的を達成する。
【００１２】
図３を参照すると、前記ノズルプレート３０の頂噴出部３１及び前記２つの側噴出部３２にそれぞれ複数の噴出孔３１１、３２１が形成されているため、ワーク４０が伝送装置５０によって前記三次元プリンター１０の印刷範囲内に入った時、前記ワーク４０の頂表面は前記インクジェットヘッド２０の頂壁２１の第一ノズル２１１から噴出される塗料によって印刷が行われ、前記ワーク４０の２つの側表面は前記インクジェットヘッド２０の側壁２２の第二ノズル２２１から噴出される塗料によって印刷が行われる。
【００１３】
ノズルプレートの前記頂噴出部及び前記側噴出部の噴出孔の設置は、印刷要求に基づいて調整される。図４は、本発明の第二実施例に係る三次元プリンター１０ａの分解図である。本実施例の三次元プリンター１０ａは第一実施例の三次元プリンター１０と似ているが、異なるところは、第一噴出孔３１１ａがノズルプレート３０ａの頂噴出部３１ａの両側部に形成され、前記頂噴出部３１ａの中央部に形成されないことである。前記三次元プリンター１０ａは、中空状のワーク４１への印刷に用いられる。
【００１４】
図５を参照すると、伝送装置５０の伝送方向に沿って、第一実施例の三次元プリンター１０及び第二実施例の三次元プリンター１０ａを順次に設置する。前記伝送装置５０に積載されているワーク４１が上流の前記三次元プリンター１０の印刷範囲に入った時、上流の前記三次元プリンター１０は、前記ワーク４１の側表面及び頂表面に対して同時に印刷を行う。前記伝送装置５０に積載されているワーク４１が下流の前記三次元プリンター１０ａの印刷範囲に入った時、前記ワーク４１の中空部分に対応される前記ノズルプレート３０ａの頂噴出部３１ａに噴出孔が設置されないため、前記ワーク４１の側面は下流の前記三次元プリンター１０ａによって印刷が行われ、且つ前記ワーク４１の中空部分には印刷が行われない。
【００１５】
本発明に係る三次元プリンター１０、１０ａにおいて、印刷要求に基づいてノズルプレート３０、３０ａの噴出孔の数量及び位置を調整することにより、区域を分割して印刷を行うことができ、且つ区域を分割して印刷を行うことによって、塗料を節約することができ、塗料のコストが低下される一方、環境保護にも有利である。
【００１６】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００１７】
１０、１０ａ  三次元プリンター
２０  インクジェットヘッド
２１  頂壁
２１１  第一ノズル
２２  側壁
２２１  第二ノズル
３０、３０ａ  ノズルプレート
３１  頂噴出部
３１１、３１１ａ  第一噴出孔
３２  側噴出部
３２１  第二噴出孔
４０、４１  ワーク
５０  伝送装置
【図１】
2011020111.tif 000003
【図２】
2011020111.tif 000004
【図３】
2011020111.tif 000005
【図４】
2011020111.tif 000006
【図５】
2011020111.tif 000007